(57)【要約】      （修正有）【課題】面防具の縦金に対する竹刀の衝撃を緩和し、竹刀の割れ破損等を防止することができると共に、面防具を着用した状態で外側から容易かつ迅速に着脱することができ、面防具に取り付けても違和感を覚えず、劣化や破損の場合に交換したとしても材料の無駄が少なくて済む、使い勝手のよい面防具用の保護具を提供する。【解決手段】剣道面防具用の保護具１は、面防具の縦金２に被せるための断面がＵ字形の被覆部材１０を備え、被覆部材１０は、縦金２の前面の一部を覆うための中央部１１と、中央部１１の両側に連設され縦金２の側面の一部を覆うための一対の側方部１２とを設ける。また、一対の側方部１２に、面防具の最上部側の３本の横金３を個々に挿通させるための孔１３と、横金３を個々に側方部１２の端縁から孔１３まで通過させて導くための、孔１３の直径よりも小さい幅を有する溝１４とが、それぞれ３組形成する。【選択図】図３
0003166207.tif 000002
【実用新案登録請求の範囲】
【請求項１】
剣道面防具用の保護具であって、
前記剣道面防具の縦金に被せるための断面がＵ字形の被覆部材を備え、
前記被覆部材は、前記縦金の前面の一部を覆うための中央部と、当該中央部の両側に連設され前記縦金の側面の一部を覆うための一対の側方部とを有し、
前記一対の側方部に、前記剣道面防具の最上部側における複数の本数の横金を個々に挿通させるための孔と、前記横金を個々に前記側方部の端縁から前記孔まで通過させて導くための、前記孔の直径よりも小さい幅を有する溝とが、それぞれ前記複数の本数と同数の組形成されていることを特徴とする剣道面防具の保護具。
【請求項２】
前記一対の側方部に、前記剣道面防具の最上部側の３本の横金を個々に挿通させるための孔と、前記横金を個々に前記側方部の端縁から前記孔まで通過させて導くための、前記孔の直径よりも小さい幅を有する溝とが、それぞれ３組形成されていることを特徴とする請求項１に記載の剣道面防具の保護具。
【考案の詳細な説明】
【技術分野】
【０００１】
本考案は、剣道面防具（以下、「面防具」とも称する。）用の保護具に関するものである。
【背景技術】
【０００２】
剣道で使用する竹刀は、従来、竹から製造されたものが一般的である。剣道においては、竹刀の打つべき向き（真剣にたとえれば刃の向き）、すなわち竹刀における相手側面防具に当たる周方向の位置が決められており、竹刀における面防具の面金に当たる箇所は、ほぼ一定の範囲に集中している。
【０００３】
面金は、縦金、横金、及び縁金から構成されている。縦金と横金との間には段差があり、縦金は、横金よりも前面に突き出ていて、尖っているに等しい。縦金の部分は、断面が略長方形で角に丸みを帯びているが、その部分に竹刀が頻繁に強打されることにより、竹刀の縦金に当たる箇所が割れて破損し易くなる。
【０００４】
竹刀の破損を緩和する方法として、面金の上部の一部分を透明の保護具によって覆う方法（特許文献１参照）や、縦金と横金とを緩衝体で被覆する方法（特許文献２参照）等が知られている。なお、剣道の公式試合では、保護具等の余分な物は、面防具に取り付けることができず、外すように決められている。
【先行技術文献】
【特許文献】
【０００５】
【特許文献１】特開２００５−２７８８９０号公報
【特許文献２】実開昭６１−１４８３７１号公報
【考案の概要】
【考案が解決しようとする課題】
【０００６】
しかしながら、前述したように縦金と横金との間には段差があり縦金が突き出ている状態であるため、特許文献１，２に記載の技術にあっては、縦金の角に丸みが設けられているとしても、保護具や緩衝体のうちの縦金の角部分に当たる部分が竹刀に強打されることにより、その部分が他の部分よりも劣化が早くなって厚さが薄い場合には破損し易くなり、かつ、保護具や緩衝体の一部が破損した場合でも、全体を取り替えねばならず、材料の無駄が多い、という問題があった。
【０００７】
また、特許文献１には、保護板部の上下縁に設けられた保持部を横金に嵌め込んで、保護具を面防具に固定する技術が開示されている。しかし、面防具には複数の種類があり種類ごとに多少の寸法差があるため、保護具をその上下のみにて面防具に固定しただけでは不安定となる。したがって、激しい打ち合いともなれば保護具が外れる可能性があり、また、保護具をいずれの種類の面防具に対しても共通して使用することは難しい。
【０００８】
また、特許文献１には、保護板部の上下縁両端に設けられた合成樹脂製の面ファスナーを指で面金の隙間を通して中に差し込み連結して輪部を形成し、横金を保護板部と面ファスナーとで挟むことにより、保護具を面防具に固定する技術が開示されている。しかし、最上部の面金の隙間から指の挿入はできるが、下部における横金と横金の間隔は狭く、その隙間から指の挿入は難しい。このため、面防具を着用した状態で、面防具の内側において指で面ファスナーを輪状に形成することは困難である。したがって、保護具を面防具に固定するためには、着用した面防具を取り外さなければならないことが考えられ、実際には、保護具の迅速な取り付け取り外しは困難と言わざるを得ない。
【０００９】
本考案は、上記課題に鑑みてなされたものであり、面防具の縦金に対する竹刀の衝撃を緩和し、竹刀の割れ破損等を防止することができると共に、面防具を着用した状態で外側から容易かつ迅速に着脱することができ、面防具に取り付けても違和感を覚えず、劣化や破損の場合に交換したとしても材料の無駄が少なくて済む、使い勝手のよい剣道面防具用の保護具を提供することを目的とする。
【課題を解決するための手段】
【００１０】
上記目的を達成すべく、本考案は、剣道面防具用の保護具であって、前記剣道面防具の縦金に被せるための断面がＵ字形の被覆部材を備え、前記被覆部材は、前記縦金の前面の一部を覆うための中央部と、当該中央部の両側に連設され前記縦金の側面の一部を覆うための一対の側方部とを有し、前記一対の側方部に、前記剣道面防具の最上部側における複数の本数の横金を個々に挿通させるための孔と、前記横金を個々に前記側方部の端縁から前記孔まで通過させて導くための、前記孔の直径よりも小さい幅を有する溝とが、それぞれ前記複数の本数と同数の組形成されていることを特徴とする。
【考案の効果】
【００１１】
本考案の剣道面防具用の保護具によれば、面防具の縦金に対する竹刀の衝撃を緩和し、竹刀の割れ破損等を防止することができると共に、面防具を外さなくても、面防具を着用した状態にて保護具の着脱を外側から容易かつ迅速に行うことができ、装着時の脱落も防止できる。例えば練習中に保護具が破損してもすぐに対応が可能であり、公式試合前後の保護具の着脱も煩雑とならない。しかも、保護具は小形のため面防具に取り付けても違和感を覚えず、劣化や破損の場合に交換したとしても材料の無駄が少なくて済む。
【図面の簡単な説明】
【００１２】
【図１】本考案の一実施形態に係る剣道面防具用の保護具を示す側面図である。
【図２】図１のII−II線に沿う断面図である。
【図３】剣道面防具に保護具を取付ける前の状態を示す斜視図である。
【図４】剣道面防具に保護具を取付けた後の状態を示す斜視図である。
【考案を実施するための形態】
【００１３】
以下、本考案の実施形態について添付図面を参照して説明する。
【００１４】
図１は、本考案の一実施形態に係る剣道面防具用の保護具を示す側面図、図２は、図１のII−II線に沿う断面図、図３は、剣道面防具に保護具を取付ける前の状態を示す斜視図、図４は、剣道面防具に保護具を取付けた後の状態を示す斜視図である。
【００１５】
剣道面防具の面金は、縦金２、横金３、及び縁金４から構成されている（図３及び図４参照）。なお、本実施形態の剣道面防具用の保護具１は、公知の面防具に使用することを目的とするため、面防具の構造についてのさらなる説明は省略する。
【００１６】
図１〜図３に示すように、剣道面防具用の保護具１は、竹刀が剣道面防具の縦金２の衝撃を直接受けないように緩和するため、縦金２に被せるための断面がＵ字形の被覆部材１０から構成されている。ここで、「Ｕ字形」の用語は、Ｕ字形及びこれに近似する形状を含む概念として使用する。被覆部材１０の中央部（丸み部分）の厚さＡ（図２参照）は例えば４〜６ｍｍ程度であり、内側形状は、縦金２の外側形状に沿うように形成されている。
【００１７】
被覆部材１０は、縦金２の前面の一部を覆うための中央部１１と、当該中央部１１の両側に連設され縦金２の側面の一部を覆うための一対の側方部１２とを有している。
【００１８】
保護具１を面防具に取り付けると共に、取り付け後の脱落を防止するために、面防具の最上部側の３本の横金３の位置に合せて、被覆部材１０に、孔１３と溝１４とがそれぞれ３組設けられている。すなわち、一対の側方部１２に、剣道面防具の最上部側の３本の横金３を個々に挿通させるための孔１３と、横金３を個々に側方部１２の端縁から孔１３まで通過させて導くための、孔１３の直径よりも小さい幅を有する溝１４とが、それぞれ３組形成されている。
【００１９】
孔１３の直径は、面防具の種類によって横金３の位置や太さに多少のずれがあったとしても孔１３に横金３が嵌るように、例えば約７ｍｍとされている。また、孔１３に連通する細い溝１４の幅寸法は例えば１〜２ｍｍ程度とされており、当該溝１４に横金３が通るようになっている。
【００２０】
また、面防具を着用した状態で、外側より簡単、かつ、迅速な着脱を可能とするため、孔１３の中心から側方部１２の端縁までの被覆部材１０の厚さＢ（図２参照）は、被覆部材１０の長手方向の全長にわたって、例えば約１.５ｍｍと薄くされており、横金３を溝１４に通して孔１３に導くときに変形し易くなっている。
【００２１】
保護具１を面防具の横金３の最上部側の３本に嵌めるようにしたのは、面防具に保護具１を取り付けた状態でも違和感を覚えないためと、上側から４番目の横金３以下は顔の比較的下方になり竹刀で強打される確率が低くなるためである。但し、保護具１を面防具の横金３の最上部側の２本や、４本以上の複数本に嵌めるように構成することも可能である。
【００２２】
また、縦金２の上部側に面防具を着用する紐を通すためのスペースを残して、縦金２に保護具１を被せる構造とされている。
【００２３】
図４に示すように、保護具１の上部側端面から、最上部の横金３が挿通される孔１３の中心までの長手方向の距離ｄ１（図１参照）は、例えば約１６ｍｍとされており、保護具１の下部側端面から、最上部から３番目の横金３が挿通される孔１３の中心までの長手方向の距離ｄ２（図１参照）は、例えば約１３ｍｍとされている。
【００２４】
保護具１は、例えば、成型加工が可能なゴム系（ウレタンゴム、シリコーンゴム、ネオプレンゴム等）、軟質ビニル系等の材料を用いて形成されており、透明な物でもよく、数種の着色された物であってもよい。したがって、保護具１は、適度な弾力性ないし柔軟性を有する。
【００２５】
次に、上記のように構成された剣道面防具用の保護具１の作用について説明する。
【００２６】
保護具１を面防具の面金に取り付ける場合には、図３及び図４に示すように、一対の側方部１２を縦金２に向けるようにして、保護具１を面防具の縦金２の上部側に被せる。
【００２７】
このとき、最上部側の３本の横金３が３つの溝１４にそれぞれ入り込むように、保護具１を面防具に向けて押圧する。ここで、溝１４の部分の厚さが薄くなっているため、横金３を溝１４に通すときに容易に変形して作業性が良好となっている。
【００２８】
さらに、保護具１を面防具に向けて押圧すると、最上部側の３本の横金３が３つの孔１３に嵌入し、保護具１が面防具の面金に取り付けられる。
【００２９】
したがって、本実施形態の剣道面防具用の保護具１によれば、面防具の縦金２に対する竹刀の衝撃を緩和し、竹刀の割れ破損等を防止することができると共に、面防具を外さなくても、面防具を着用した状態にて保護具１の着脱を外側から容易かつ迅速に行うことができ、装着時の脱落も防止できる。例えば練習中に保護具１が破損してもすぐに対応が可能であり、公式試合前後の保護具１の着脱も煩雑とならない。しかも、保護具１は小形のため面防具に取り付けても違和感を覚えず、劣化や破損の場合に交換したとしても材料の無駄が少なくて済む。
【００３０】
以上、本考案について、実施形態に基づいて説明したが、本考案は、上記実施形態に記載した構成に限定されるものではなく、実施形態に記載した構成を適宜組み合わせ乃至選択することを含め、その趣旨を逸脱しない範囲において適宜その構成を変更することができるものである。
【符号の説明】
【００３１】
１    保護具
２    縦金
３    横金
４    縁金
１０    被覆部材
１１    中央部
１２    側方部
１３    孔
１４    溝
【図１】
0003166207.tif 000003
【図２】
0003166207.tif 000004
【図３】
0003166207.tif 000005
【図４】
0003166207.tif 000006